(57)【要約】【課題】バックアップの状態やイニシャライズの状態を知らせ、さらにはルータの保守性向上に貢献する。【解決手段】ルータ１では、状態がイニシャライズの状態からマスターの状態に遷移したとき、データベース１１には、現在の状態であるマスターの状態と、現在の状態に遷移する前の状態であるイニシャライズの状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスが記憶される。通知部１３は、データベース１１の当該部分と条件データベース１２を参照し、条件データベース１２で通知が必要と設定された内容がデータベース１１の当該部分に記憶されているときに、データベース１１に記憶された現在の状態を始めとする各内容を監視コンピュータ２に通知する。【選択図】図１
2006310976.tif 000002
【特許請求の範囲】
【請求項１】
ＶＲＲＰプロトコルを用い、イニシャライズの状態とマスターの状態とバックアップの状態の間で状態を遷移させる通信装置に設けられ、現在の状態と、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスとが記憶されるデータベースと、
状態が遷移したときに、前記データベースに記憶された現在の状態をその内容に関わらず少なくとも通知する通知手段と
を備えることを特徴とする通信装置。
【請求項２】
前記通知手段は、状態が遷移したときに、前記データベースに記憶された、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスを通知する
ことを特徴とする請求項１記載の通信装置。
【請求項３】
ＶＲＲＰプロトコルを用い、イニシャライズの状態とマスターの状態とバックアップの状態の間で状態を遷移させる通信装置に設けられ、現在の状態と、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスとが記憶されるデータベースと、
当該各内容のいずれか１つ以上に対し通知の要否が予め設定される条件データベースと、
状態が遷移したときに、前記データベースと前記条件データベースを参照し、前記条件データベースで通知が必要と設定された内容が前記データベースに記憶されているときに、前記データベースに記憶された現在の状態をその内容に関わらず少なくとも通知する通知手段と
を備えることを特徴とする通信装置。
【請求項４】
前記通知の要否が設定される内容の中にインタフェース番号が含まれる
ことを特徴とする請求項３記載の通信装置。
【請求項５】
ユーザからコンピュータに入力された指示の内容に応じた通知の要否を前記条件データベースに設定する通知要否設定手段
を備えることを特徴とする請求項３または４記載の通信装置。
【請求項６】
請求項１乃至５のいずれかに記載の通信装置としてコンピュータを機能させるコンピュータプログラム。
【請求項７】
請求項６記載のコンピュータプログラムが記録されたコンピュータ読み取り可能な記録媒体。
【発明の詳細な説明】
【技術分野】
【０００１】
本発明は、ＶＲＲＰプロトコルを用いる通信装置に関するものである。
【背景技術】
【０００２】
図４は、２台のルータによりＶＲＲＰプロトコルを用いて構成された仮想ルータを示す図である。ここではルータ１Ａとルータ１Ｂが仮想ルータを構成する。ルータ１Ａとルータ１Ｂは、それぞれ物理的な通信回線を介して、イーサネット（登録商標）１００に接続されるが、イーサネット（登録商標）１００に接続された端末１０１からは、１つのルータ（仮想ルータ）として認識され、端末１０１から仮想ルータに送信された例えばインターネット上の端末宛のパケットと当該端末などから端末１０１宛に送信されたパケットをルーティングする。
【０００３】
図５は、図４に示した仮想ルータの動作シーケンス図である。１つの仮想ルータを構成するルータ１Ａとルータ１Ｂには、同一のVR-IDが付与される。また、ルータ１Ａには、例えば、プライオリティ（優先度：1〜255）が付与され（例えば、200）、ルータ１Ｂには、それより低いプライオリティ（例えば、100)が付与される。
【０００４】
ルータ１Ａとルータ１Ｂが起動され、それぞれがイニシャライズの状態になると、互いにプライオリティを通知し、プライオリティの高いルータ１Ａがマスターの状態に遷移し（Ｓ１）、プライオリティの低いルータ１Ｂがバックアップの状態に遷移する（Ｓ３）。なお、ルータ１Ａとルータ１Ｂは、故障したり、保守者などのユーザによりサスペンドされ、イニシャライズの状態になることがある（Ｓ５，Ｓ７）が、障害やサスペンドが解除されると、再び基の状態に遷移する。
【０００５】
さて、マスターの状態にあるルータ１Ａは、バックアップの状態にあるルータ１Ｂに対し、一定の時間間隔でVRRPパケットを送信する（Ｓ１１）。そうした中にあって、ルータ１Ａが故障する（Ｓ１３）と、ルータ１ＢへのVRRPパケットが途絶える。ルータ１Ｂは、最後のVRRPパケットが送信されてから一定時間VRRPパケットが送信されないと、マスターの状態に遷移し（Ｓ１５）、このとき、保守者などのユーザに用いられる監視コンピュータ２に自身がマスターの状態に遷移した旨と自身のＩＰアドレスとを通知する（Ｓ１７）。これにより、ルータ１Ｂがマスターの状態にあることがユーザの知るところとなる。
【０００６】
その後、ルータ１Ａがイニシャライズ状態になり、そして回復し、マスターの状態となる（Ｓ１９）と、ルータ１Ａはルータ１Ｂに再びVRRPパケットを送信する（Ｓ２１）。ルータ１Ｂは、このように、自身より高いプライオリティのルータからVRRPパケットが送信された場合はバックアップの状態に遷移する（Ｓ２３）。
【０００７】
また、ルータ１Ａは、自身がマスターの状態に遷移した旨と自身のＩＰアドレスとを通知する（Ｓ２５）。これにより、ルータ１Ａがマスターの状態にあることがユーザの知るところとなる。
【非特許文献１】Network Working Group, Request for Comments: 3768 Virtual Router Redundancy Protocol(VRRP)
【非特許文献２】Network Working Group, Request for Comments: 2787 Definitions of Managed Objects for the Virtual Router Redundancy Protocol
【発明の開示】
【発明が解決しようとする課題】
【０００８】
上記のように、従来にあっては、現在の状態がマスターの状態であるルータを知ることができるが、現在の状態がバックアップの状態であるルータやイニシャライズの状態であるルータを知ることができない。
【０００９】
また、上記のように、ルータ１Ｂが自身より高いプライオリティのルータからVRRPパケットが送信された場合にバックアップの状態に遷移する動作は、プリエンプションが有効な状態にあるとき限られるため、プリエンプションの状態を知ることが、マスターの状態へ遷移した理由を知るための一助となるが、従来にあっては、プリエンプションの状態を知ることができない。また、プリエンプションの状態のみならず、サスペンドの可否といった他の情報を知ることが、ルータの保守性向上に貢献する。
【００１０】
本発明は、上記従来の課題解決のためになされたものであり、その目的とするところは、バックアップの状態やイニシャライズの状態を知らせることができる通信装置を提供することにあり、ルータの保守性向上に貢献する通信装置を提供することがさらなる目的である。
【課題を解決するための手段】
【００１１】
上記の課題を解決するために、請求項１の本発明は、ＶＲＲＰプロトコルを用い、イニシャライズの状態とマスターの状態とバックアップの状態の間で状態を遷移させる通信装置に設けられ、現在の状態と、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスとが記憶されるデータベースと、状態が遷移したときに、前記データベースに記憶された現在の状態をその内容に関わらず少なくとも通知する通知手段とを備えることを特徴とする通信装置をもって解決手段とする。
【００１２】
請求項２の本発明は、前記通知手段は、状態が遷移したときに、前記データベースに記憶された、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスを通知することを特徴とする請求項１記載の通信装置をもって解決手段とする。
【００１３】
請求項３の本発明は、ＶＲＲＰプロトコルを用い、イニシャライズの状態とマスターの状態とバックアップの状態の間で状態を遷移させる通信装置に設けられ、現在の状態と、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスとが記憶されるデータベースと、当該各内容のいずれか１つ以上に対し通知の要否が予め設定される条件データベースと、状態が遷移したときに、前記データベースと前記条件データベースを参照し、前記条件データベースで通知が必要と設定された内容が前記データベースに記憶されているときに、前記データベースに記憶された現在の状態をその内容に関わらず少なくとも通知する通知手段とを備えることを特徴とする通信装置をもって解決手段とする。
【００１４】
請求項４の本発明は、前記通知の要否が設定される内容の中にインタフェース番号が含まれることを特徴とする請求項３記載の通信装置をもって解決手段とする。
【００１５】
請求項５の本発明は、ユーザからコンピュータに入力された指示の内容に応じた通知の要否を前記条件データベースに設定する通知要否設定手段を備えることを特徴とする請求項３または４記載の通信装置をもって解決手段とする。
【００１６】
請求項６の本発明は、請求項１乃至５のいずれかに記載の通信装置としてコンピュータを機能させるコンピュータプログラムをもって解決手段とする。
【００１７】
請求項７の本発明は、請求項６記載のコンピュータプログラムが記録されたコンピュータ読み取り可能な記録媒体をもって解決手段とする。
【発明の効果】
【００１８】
本発明によれば、データベースに記憶された現在の状態をその内容に関わらず少なくとも通知する通知手段とを備えたことで、ユーザは現在の状態がバックアップの状態である通信装置やイニシャライズの状態である通信装置を知ることができる。また、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスを通知することで、ユーザがこれら内容を取捨選択することができ、保守性が向上する。
【発明を実施するための最良の形態】
【００１９】
以下、本発明に係る通信装置の実施の形態を図面を参照して説明する。
【００２０】
図１は、本実施の形態に係る通信装置であるルータの構成と利用形態を示す図である。  ルータ１は、ＶＲＲＰプロトコルを用い、イニシャライズの状態とマスターの状態とバックアップの状態の間で状態を遷移させるルータであり、マスターの状態となったときにバックアップの状態となる図示しないルータとともに仮想ルータを構成するものである。ルータ１は、保守者などのユーザに用いられる監視コンピュータ２に対し自身の現在の状態を始めとする各内容を通知するものである。
【００２１】
ルータ１は、現在の状態を始めとする各内容が記憶されるデータベース１１と、当該各内容の１つであるインタフェース番号等に対し通知の要否が予め設定される条件データベース１２と、状態が遷移したときに、データベース１１と条件データベース１２を参照し、条件データベース１２で通知が必要と設定された内容がデータベース１１に記憶されているときに、データベース１１に記憶された現在の状態を始めとする各内容を監視コンピュータ２に通知する通知手段たる通知部１３と、ユーザから監視コンピュータ２に入力された指示の内容に応じた通知の要否を条件データベース１２に設定する通知要否設定手段たる通知要否設定部１４とを備える。
【００２２】
図２は、データベース１１に記憶される各内容をその概略説明とともに示した図である。
【００２３】
データベース１１には、ＶＲＲＰプロトコルで定められたように、現在の状態と、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態のルータのＩＰアドレスが記憶される。
【００２４】
現在の状態と、現在の状態に遷移する前の状態としては、イニシャライズの状態またはバックアップの状態またはマスターの状態が記憶される。
【００２５】
ＶＲ−ＩＤは、例えば、ルータ１により構成される仮想ルータを用いる企業などのグループごとに付与され、ＶＲＦ名は、例えば、企業の部署ごとに付与されたものである。
【００２６】
インタフェース番号は、インタフェース基板の種別（１６ポートのfastethernet、８ポートのfastethernet、１ポートのgigabitethernet、２ポートのgigabitethernet等の種別）と、そのインタフェース基板が挿入されるスロットの番号と、そのインタフェース基板で使用されるポート番号という、３つの意味を含んでいる。
【００２７】
プリエンプションの状態としては、有効か無効かが記憶される。
【００２８】
プライオリティとしては、0〜255の値が記憶される。
【００２９】
仮想ＩＰアドレスとしては、0.0.0.0.〜255.255.255.255のアドレスが、ルータ１により構成される仮想ルータに付与されたＩＰアドレスとして記憶される。
【００３０】
サスペンドの可否としては、サスペンドが可能（有効）か不可能（無効）かが記憶される。
【００３１】
マスターの状態の通信機器のＩＰアドレスとしては、0.0.0.0.〜255.255.255.255のアドレスが、ルータ１がマスターの状態にあるときのルータ１のＩＰアドレスまたはルータ１とともに仮想ルータを構成する他のルータがマスターの状態にあるときの当該ルータのＩＰアドレスが記憶される。
【００３２】
図３は、条件データベース１２に記憶される内容を示す図である。
【００３３】
条件データベース１２では、[VR-ID],[VRF-name],[interface number]で示されるＶＲ−ＩＤと、ＶＲＦ名と、インタフェース番号の組に対し、通知が必要であることを示すフラグ（例えば、on）が対応づけられる。
【００３４】
[VR-ID],[VRF-name],[interface number]は、それぞれ省略することができ、例えば、[VR-ID]と[VRF-name]を省略した場合は、[interface number]に通知が必要であることを示すフラグ（on）が対応づけられる。
【００３５】
また、通知が必要であることを示すフラグ（on）に代えて、通知が不要であることを示すフラグ（例えば、off）が対応づけられる。
【００３６】
次に、本実施の形態の動作を説明する。
【００３７】
例えば、ユーザが監視コンピュータ２に
set alarm vrrp[VR-ID][VRF-name][interface number]
という型のコマンドを入力する。このときのset alarm vrrpは、[VR-ID][VRF-name][interface number]で示されるＶＲ−ＩＤと、ＶＲＦ名と、インタフェース番号の組に対し、通知が必要であることを条件データベース１２に記憶させるべきことを示している。
【００３８】
なお、[VR-ID],[VRF-name],[interface number]は、それぞれ省略することができる。例えば、[VRF-name]と[interface number]または[interface number]を省略し、[VR-ID]で示される企業や[VRF-name]と[interface number]で示される部署についてのみ、通知を行うようにできる。また、[VRF-name]と[interface number]を省略し、[interface number]で示されるインタフェースについてのみ通知を行うようにできる。
【００３９】
ユーザがこのコマンドを監視コンピュータ２に入力すると、監視コンピュータ２はこのコマンドをルータ１に送信し、ルータ１では、コマンドに[VR-ID],[VRF-name],[interface number]のいずれかが含まれていれば、通知要否設定部１４が条件データベース１２においてこのコマンドのset alarm vrrp以外の部分に対し、通知が必要であることを示すフラグ（例えば、on）を対応づける。一方、コマンドにおいて[VR-ID],[VRF-name],[interface number]の全てが省略されていれば、通知要否設定部１４が条件データベース１２に、全ての状態遷移に対して通知が必要であることを記憶させる。
【００４０】
また、ユーザが監視コンピュータ２に
del alarm vrrp[VR-ID][VRF-name][interface number]
という型のコマンドを入力する。このときのdel alarm vrrpは、[VR-ID],[VRF-name],[interface number]で示されるＶＲ−ＩＤと、ＶＲＦ名と、インタフェース番号の組に対し、通知が不要であることを条件データベース１２に記憶させるべきことを示している。
【００４１】
なお、set alarm vrrp  の場合と同様に、[VR-ID],[VRF-name],[interface number]は、それぞれ省略することができる。
【００４２】
ユーザがこのコマンドを監視コンピュータ２に入力すると、監視コンピュータ２はこのコマンドをルータ１に送信し、ルータ１では、コマンドに[VR-ID],[VRF-name],[interface number]のいずれかが含まれていれば、通知要否設定部１４が条件データベース１２においてこのコマンドのdel alarm vrrp以外の部分に対し、通知が不要であることを示すフラグ（例えば、off）を対応づける。一方、コマンドにおいて[VR-ID],[VRF-name],[interface number]の全てが省略されていれば、通知要否設定部１４が条件データベース１２に、全ての状態遷移に対して通知が不要であることを記憶させる。
【００４３】
また、ユーザが監視コンピュータ２に
dsp alarm vrrp
というコマンドを入力すると、監視コンピュータ２はこのコマンドをルータ１に送信し、ルータ１は、条件データベース１２に記憶された内容を監視コンピュータ２に送信し、これを基に監視コンピュータ２が、
VR-ID     VRF-name     interface number     alarm
[VR-ID*1] [VRF-name*1] [interface number*1]   on
[VR-ID*2] [VRF-name*2]                        off
という形式で表示を行う。
【００４４】
[VR-ID*1] [VRF-name*1] [interface number*1]   onは、[VR-ID*1] [VRF-name*1] [interface number*1] で示されるＶＲ−ＩＤと、ＶＲＦ名と、インタフェース番号の組に対し、通知が必要であることを示している。
【００４５】
逆に、[VR-ID*2] [VRF-name*2]    onは、[VR-ID*2] [VRF-name*2] で示されるＶＲ−ＩＤと、ＶＲＦ名と、任意のインタフェース番号の組に対し、通知が不要であることを示している。
【００４６】
さて、ルータ１では、例えば、状態がイニシャライズの状態からマスターの状態に遷移したとき、データベース１１には、現在の状態であるマスターの状態と、現在の状態に遷移する前の状態であるイニシャライズの状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスが記憶される。
【００４７】
なお、他の状態遷移のときにおいても、現在の状態と、現在の状態に遷移する前の状態と、ＶＲ−ＩＤ等が記憶される。
【００４８】
いずれにしても、かかる内容がデータベース１１に記憶されると、通知部１３は、データベース１１の当該部分と条件データベース１２を参照し、条件データベース１２で通知が必要と設定された内容がデータベース１１の当該部分に記憶されているときに、データベース１１に記憶された現在の状態を始めとする各内容を
[yyyy/mm/dd hh:mm:ss]
VRRP state changed from [A] to [B]
VR-ID [VR-ID*1]
VR-name [VR-name*1]
interface number [interface number*1]
Preemption [Preemption*1]
Priority [Priority*1]
Virtual IP [Virtual IP*1]
Suspend [Suspend*1]
Master IP [Master IP*1]
という形式で監視コンピュータ２に通知し、これを監視コンピュータ２が表示する。
【００４９】
この形式において、[yyyy/mm/dd hh:mm:ss]には、状態遷移の年月日と時分秒が格納され表示される。また、[A]には、現在の状態に遷移する前の状態が格納され表示される。
【００５０】
また、[B]には、現在の状態が格納され表示される。例えば、VRRP state changed from B to Mは、バックアップ(B)の状態からマスター(M)の状態に遷移したことを示す。また、イニシャライズの状態は、(I)で示される。以下、[VR-ID*1] ,[VR-name*1], [interface number*1], [Preemption*1], [Priority*1], [Virtual IP*1], [Suspend*1], [Master IP*1]には、ＶＲ−ＩＤと、ＶＲＦ名と、インタフェース番号と、プリエンプションの状態と、プライオリティと、仮想ＩＰアドレスと、サスペンドの可否と、マスターの状態のルータのＩＰアドレスが格納され表示される。
【００５１】
なお、実際には、プリエンプションが有効な場合にのみ、[Preemption*1]として例えば、on と表示され、プリエンプションが無効な場合には、[Preemption*1]は表示されず、また、サスペンドが可能（有効）な場合にのみ、[Suspend*1]として例えば、on と表示され、サスペンドが不可能（無効）な場合には、[Suspend*1]は表示されないようになっているが、無効な場合には、off  と明示しても勿論よい。
【００５２】
また、上記説明では、条件データベース１２で、ＶＲ−ＩＤと、ＶＲＦ名と、インタフェース番号の組に対し、通知の要否が対応づけ、各内容は省略可能としたが、他の内容、例えば、プリエンプションの状態に対して、通知の要否を対応づけ、これにより、例えば、プリエンプションが有効な場合にだけ、通知がなされるようにしてもよい。
【００５３】
また、上記説明では、ルータを通信装置の例としたが、本発明を他の通信装置に適用しても勿論よい。
【００５４】
また、上記説明では、通知先を監視コンピュータ２としたが、通知先は、ルータ１に設けられた表示部や仮想端末（telnet）でもよい。また、管理通信プロトコルＳＮＭＰのトラップメッセージ（IETF RFC1215）などの、標準の管理通信プロトコルを用いてオペレーションシステムを通知先としてもよい。
【００５５】
また、上記説明では、状態遷移したルータ１自らが通知を行ったが、監視コンピュータ２に求めに応じて、通知を行ってもよい。
【００５６】
以上説明したように、本実施の形態によれば、データベースに記憶された現在の状態をその内容に関わらず少なくとも通知する通知手段を備えたことで、ユーザは現在の状態がバックアップの状態である通信装置やイニシャライズの状態である通信装置を知ることができる。
【００５７】
また、通知手段は、状態が遷移したときに、データベースに記憶された、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスを通知することで、ユーザがこれら内容を取捨選択することができ、保守性が向上する。
【００５８】
また、ＶＲＲＰプロトコルを用い、イニシャライズの状態とマスターの状態とバックアップの状態の間で状態を遷移させる通信装置に設けられ、現在の状態と、現在の状態に遷移する前の状態と、ＶＲ−ＩＤと、ＶＲＦ名と、インタフェース番号と、プリエンプションの状態と、プライオリティと、仮想ＩＰアドレスと、サスペンドの可否と、マスターの状態の通信機器のＩＰアドレスとが記憶されるデータベースと、当該各内容のいずれか１つ以上に対し通知の要否が予め設定される条件データベースと、状態が遷移したときに、データベースと条件データベースを参照し、条件データベースで通知が必要と設定された内容がデータベースに記憶されているときに、データベースに記憶された現在の状態をその内容に関わらず少なくとも通知する通知手段とを備えたことで、ユーザは現在の状態がバックアップの状態である通信装置やイニシャライズの状態である通信装置を知ることができる。
【００５９】
また、通知の要否が設定される内容の中にインタフェース番号が含まれることで、ユーザはインタフェース毎に状態を知ることができる。
【００６０】
また、ユーザからコンピュータに入力された指示の内容に応じた通知の要否を条件データベースに設定する通知要否設定手段を備えたことで、ユーザが所望する通知のみが受けられるため、保守性がさらに向上する。
【００６１】
なお、上記説明した処理をルータや監視コンピュータに実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００６２】
【図１】本実施の形態に係る通信装置であるルータの構成と利用形態を示す図である。
【図２】データベース１１に記憶される各内容をその概略説明とともに示した図である。
【図３】条件データベース１２に記憶される内容を示す図である。
【図４】２台のルータによりＶＲＲＰプロトコルを用いて構成された仮想ルータを示す図である。
【図５】図４に示した仮想ルータの動作シーケンス図である。
【符号の説明】
【００６３】
１  ルータ
２  監視コンピュータ
１１  データベース
１２  条件データベース
１３  通知部
１４  通知要否設定部
【図１】
2006310976.tif 000003
【図２】
2006310976.tif 000004
【図３】
2006310976.tif 000005
【図４】
2006310976.tif 000006
【図５】
2006310976.tif 000007